(57)【要約】【課題】高齢者又は身体が不自由な人にとって、車椅子等から便座に移乗する際にアームレストが邪魔にならず移乗しやすく、しかも、着座後は、座位を保持する機能を損なうことがないトイレ用アームレスト装置を提供する。【解決手段】立設された中空支持棒５ａ、５ｂ内に、中空上下棒６ａ、６ｂが挿入される。この上下棒６ａ、６ｂの上端部にアームレスト７ａ、７ｂが上下棒６ａ、６ｂに対して偏倚する位置に固定されている。上下棒６ａ、６ｂには、アームレストの長手方向に偏倚した位置に、上下棒６ａ、６ｂの長手方向に列をなして孔２３，２４が点在している。アームレスト７ｂは、アームレスト７ａと逆の方向を向くように、上下棒６ａ、６ｂが支持棒５ａ、５ｂに挿入され、ナット２１に螺合する螺棒が孔２３，２４を挿通して、上下棒６ａ、６ｂを支持棒５ａ、５ｂに固定する。【選択図】図１
2018094015.tif 000002
【特許請求の範囲】
【請求項１】
便器に固定された固定部材と、
この固定部材に固定され、前記便器の両側に立設された１対の中空状の支持棒と、
前記便器の両側に配置され、水平姿勢の１対のアームレストと、
その上端部が前記アームレストにおけるその長手方向の一端部側に偏倚した位置に固定され、下半部が前記支持棒内に挿入される１対の上下棒と、
前記上下棒における前記アームレストの長手方向に偏倚した位置に形成され、前記上下棒の長手方向に１列に点在する複数個の孔からなる第１孔群と、
前記上下棒における前記アームレストの長手方向に偏倚した位置であって、前記上下棒の中心に対し、前記第１孔群と点対称の位置に形成され、前記上下棒の長手方向に１列に点在する複数個の孔からなる第２孔群と、
前記支持棒における前記アームレストの長手方向に偏倚した位置であって、前記上下棒の前記第１孔群又は第２孔群に対向する位置に設けられたナットと、
このナットに螺合し前記支持棒内に進出し、また後退可能の螺棒と、
を有することを特徴とするトイレ用アームレスト装置。
【請求項２】
前記上下棒は中空状をなすことを特徴とする請求項１に記載のトイレ用アームレスト装置。
【請求項３】
便器に固定された固定部材と、
この固定部材に固定され、前記便器の両側に立設された１対の中空状の支持棒と、
前記便器の両側に配置され、水平姿勢の１対のアームレストと、
その上端部が前記アームレストにおけるその長手方向の一端部側に偏倚した位置に固定され、下半部が前記支持棒内に挿入される１対の中空状の上下棒と、
前記上下棒を前記支持棒に挿入した状態で前記支持棒に固定する固定手段と、
を有することを特徴とするトイレ用アームレスト装置。
【請求項４】
前記固定手段は、前記支持棒に固定されたナットと、このナットに螺合する螺棒と、前記上下棒に形成された凹部とを有し、前記螺棒を前記支持棒内にねじ込むことにより、前記螺棒の先端を前記凹部に押圧して前記上下棒を前記支持棒に固定することを特徴とする請求項２に記載のトイレ用アームレスト装置。
【請求項５】
前記固定手段は、前記支持棒の上端を締め付けるボルト及びナットを有し、前記上下棒を前記支持棒内に挿入した状態で、前記ボルト及びナットにより、前記支持棒の上端を締め付けて前記上下棒を前記支持棒に固定することを特徴とする請求項２に記載のトイレ用アームレスト装置。
【請求項６】
便器に固定された固定部材と、
この固定部材に固定され、前記便器の両側に立設された１対の中空状の支柱と、
この支柱の上端に、前記支柱に対して、回転可能に支持されたアームレストと、
このアームレストを後方に回転させて跳ね上げた状態で出現し、前記支柱に水平に固定された短寸の補助レストと、
を有することを特徴とするトイレ用アームレスト装置。
【請求項７】
便器に固定された固定部材と、
この固定部材に固定され、前記便器の両側に立設された１対の中空状の支柱と、
この支柱の上端に水平に固定された水平部材と、
前記水平部材に対して回転可能の回転部材と、
を有し、
前記回転部材は、前記水平部材に対して前方に回転したときに水平状態よりも下方に回転しないように保持され、前記水平部材と共に長いアームレストを構成し、
前記水平部材に対して重なるように回転したときに、短いアームレストを構成することを特徴とするトイレ用アームレスト装置。
【請求項８】
便器に固定された固定部材と、
この固定部材に固定され、前記便器の両側に立設された１対の中空状の支柱と、
この支柱の上端に回転可能に支持されたアームレストと、
前記アームレストを水平状態に保持すると共に、この水平状態を解除して、前記アームレストを垂れ下がった状態にすることができる保持部材と、
を有することを特徴とするトイレ用アームレスト装置。
【発明の詳細な説明】
【技術分野】
【０００１】
本発明は、便座を備えたトイレ（便器）用のアームレスト装置に関し、使用者が便座での座位保持、立ち上がり、及び着座を行うことを補助するトイレ用アームレスト装置に関する。
【背景技術】
【０００２】
高齢者及び身体が不自由な人が、便座付き便器（以下、トイレという）を使用する場合に、室内に設けられた手すりを伝わって、トイレに設備されたアームレストに手をかけ、このアームレストを利用して身体をあずけることにより、便座に着座する。また、使用者が便座から立ち上がるとき、及び便座上で身体を支えるときも、このアームレストを利用する。
【０００３】
従来のトイレ用アームレスト装置は、特許文献１に記載のように、便器の左右両側にて、１対の水平杆にほぼ垂直に夫々側枠が立設されており、この左右１対の側枠の上端に、夫々前後方向に延びる手すり（アームレスト）が設けられて構成されている。この従来のトイレ用アームレスト装置は、使用者が便座に着座後に、使用者の両脇に配置されることとなるため、着座動作のときには、アームレストが邪魔になるという問題点がある。なお、この特許文献１に記載のトイレ用アームレスト装置は、手すりが、側枠に固定された下側肘掛け部と、この下側肘掛け部に対して前後方向に摺動する上側肘掛け部とから構成されており、上側肘掛け部の位置を若干前後方向に調整することができるようになっている。
【０００４】
また、特許文献２に記載された便器用手すりは、便器の左右両側にて、１対のベース部材にほぼ垂直に夫々起立部材が立設されており、この左右１対の起立部材の上端に、夫々前後方向に延びる手摺部材が設けられている。この手摺部材は、その先端部が後方側に跳ね上げ可能になっている。そして、特許文献２に記載の手摺部材は、この手摺部材の下面に下方に延出するグリップが設けられているので、手摺部材を後方に跳ね上げたときに、グリップが水平に出現するようになっている。このため、使用者が便座に移乗する際に、手摺部材を跳ね上げると、このグリップが手摺部材の代わりにアームレストとなり、このグリップを利用して身体をあずけつつ、例えば、車椅子から便座に移乗することができる。移乗後は、手摺部材を倒して元の状態にすると、便座に着座した後は、手摺部材がアームレストとして、身体を安定させることができる。
【先行技術文献】
【特許文献】
【０００５】
【特許文献１】特開２００６−６２２号公報
【特許文献２】特開２０１２−２１７７１８号公報
【発明の概要】
【発明が解決しようとする課題】
【０００６】
しかしながら、特許文献１に記載の前後に摺動可能の手すりは、各トイレの状況に応じて便器に対する手すりの位置を調整するために摺動可能になっているに過ぎず、即ち、手すりをトイレの両脇に設置する際に、手すりの前後方向の位置調整に摺動可能になっているものである。手すりを設置し、初期設定した後は、上側肘掛け部はボルトで下側肘掛け部に固定される。よって、この手すりは、使用者が便座に移乗する際に、邪魔になり、移乗をしやすくするものではない。
【０００７】
また、特許文献２に記載の跳ね上げ可能の手摺部材は、手摺部材の跳ね上げ（回動）のための機構が必要であり、また、グリップを使用するために跳ね上げた状態でロックする機構が必要となり、構造が複雑になるという問題点がある。
【０００８】
本発明はかかる問題点に鑑みてなされたものであって、高齢者又は身体が不自由な人にとって、車椅子等から便座に移乗する際にアームレストが邪魔にならず移乗しやすく、しかも、着座後は、座位を保持する機能を損なうことがないトイレ用アームレスト装置を提供することを目的とする。
【課題を解決するための手段】
【０００９】
本発明に係るトイレ用アームレスト装置は、
便器に固定された固定部材と、
この固定部材に固定され、前記便器の両側に立設された１対の中空状の支持棒と、
前記便器の両側に配置され、水平姿勢の１対のアームレストと、
その上端部が前記アームレストにおけるその長手方向の一端部側に偏倚した位置に固定され、下半部が前記支持棒内に挿入される１対の上下棒と、
前記上下棒における前記アームレストの長手方向に偏倚した位置に形成され、前記上下棒の長手方向に１列に点在する複数個の孔からなる第１孔群と、
前記上下棒における前記アームレストの長手方向に偏倚した位置であって、前記上下棒の中心に対し、前記第１孔群と点対称の位置に形成され、前記上下棒の長手方向に１列に点在する複数個の孔からなる第２孔群と、
前記支持棒における前記アームレストの長手方向に偏倚した位置であって、前記上下棒の前記第１孔群又は第２孔群に対向する位置に設けられたナットと、
このナットに螺合し前記支持棒内に進出し、また後退可能の螺棒と、
を有することを特徴とする。
【００１０】
この場合に、前記上下棒は中空状をなすようにすることができる。
【００１１】
本発明に係る他のトイレ用アームレスト装置は、
便器に固定された固定部材と、
この固定部材に固定され、前記便器の両側に立設された１対の中空状の支持棒と、
前記便器の両側に配置され、水平姿勢の１対のアームレストと、
その上端部が前記アームレストにおけるその長手方向の一端部側に偏倚した位置に固定され、下半部が前記支持棒内に挿入される１対の中空状の上下棒と、
前記上下棒を前記支持棒に挿入した状態で前記支持棒に固定する固定手段と、
を有することを特徴とする。
【００１２】
このトイレ用アームレスト装置において、
前記固定手段は、前記支持棒に固定されたナットと、このナットに螺合する螺棒と、前記上下棒に形成された凹部とを有し、前記螺棒を前記支持棒内にねじ込むことにより、前記螺棒の先端を前記凹部に押圧して前記上下棒を前記支持棒に固定するか、又は
前記固定手段は、前記支持棒の上端を締め付けるボルト及びナットを有し、前記上下棒を前記支持棒内に挿入した状態で、前記ボルト及びナットにより、前記支持棒の上端を締め付けて前記上下棒を前記支持棒に固定するように構成することができる。
【００１３】
本発明に係る更にトイレ用アームレスト装置は、
便器に固定された固定部材と、
この固定部材に固定され、前記便器の両側に立設された１対の中空状の支柱と、
この支柱の上端に、前記支柱に対して、回転可能に支持されたアームレストと、
このアームレストを後方に回転させて跳ね上げた状態で出現し、前記支柱に水平に固定された短寸の補助レストと、
を有することを特徴とする。
【００１４】
本発明に係る更に他のトイレ用アームレスト装置は、
便器に固定された固定部材と、
この固定部材に固定され、前記便器の両側に立設された１対の中空状の支柱と、
この支柱の上端に水平に固定された水平部材と、
前記水平部材に対して回転可能の回転部材と、
を有し、
前記回転部材は、前記水平部材に対して前方に回転したときに水平状態よりも下方に回転しないように保持され、前記水平部材と共に長いアームレストを構成し、
前記水平部材に対して重なるように回転したときに、短いアームレストを構成することを特徴とする。
【００１５】
本発明に係る更に他のトイレ用アームレスト装置は、
便器に固定された固定部材と、
この固定部材に固定され、前記便器の両側に立設された１対の中空状の支柱と、
この支柱の上端に回転可能に支持されたアームレストと、
前記アームレストを水平状態に保持すると共に、この水平状態を解除して、前記アームレストを垂れ下がった状態にすることができる保持部材と、
を有することを特徴とする。
【発明の効果】
【００１６】
本願請求項１に係るトイレ用アームレスト装置によれば、中空状の上下棒を、その第１孔群が支持棒のナット側になるように、前記支持棒内に挿入した場合と、その第２孔群が支持棒のナット側になるように、前記支持棒内に挿入した場合とで、いずれの場合も、螺棒を前記ナットに螺合させて進出させると、前記螺棒は、第１孔群の孔又は第２孔群の孔をとおって、前記上下棒の内面を押圧し、上下棒を支持棒に押し付け固定することができる。このとき、第１孔群の孔を利用した場合と、第２孔群の孔を利用して上下棒を支持棒に固定した場合とで、上下棒が偏倚した位置に固定されたアームレストは、その長い部分がトイレ（便器）の前方に向くか、又は短い部分がトイレの前方に向くかが決まる。よって、レストルームのトイレの配置に応じて、アームレストの向きを変えれば、アームレストのトイレの前方の部分を短くしてその方向からの使用者の移乗を容易且つ円滑にし、アームレストの長さを長くすれば通常の状態で、アームレストの上に肘をおいて、身体を支持させることができる。なお、上下棒は中空状でなくても良い。上下棒が中実の場合も、螺棒をねじ込むことにより、上下棒を支持棒の内面に押し付け固定することができる。
【００１７】
本願請求項３乃至５に係る発明も、アームレストの向きを変えた状態で、上下棒を支持棒に固定することができ、簡素な機構で移乗が容易且つ円滑になるという効果を奏することができる。
【００１８】
本願請求項６乃至８に係る発明は、アームレストを跳ね上げたり、折りたたむことにより、アームレストのトイレ前方に延出する長さを変えることができると共に、ロック機構が不要であり、簡素な機構で移乗が容易且つ円滑になるという効果を奏する。
【図面の簡単な説明】
【００１９】
【図１】本願第１発明の第１実施形態に係るトイレ用アームレスト装置を示す斜視図である。
【図２】同じくその平面図である。
【図３】同じくその別の態様の平面図である。
【図４】本実施形態の動作を示す斜視図である。
【図５】本実施形態のトイレ用アームレスト装置が設置されたトイレを示す斜視図である。
【図６】支持棒と上下棒との連結方法を示す斜視図である。
【図７】（ａ）は上下棒の構造を示す正面図、（ｂ）はす平断面図である。
【図８】（ａ）は第２実施形態を示す斜視図、（ｂ）は縦断面図である。
【図９】第３実施形態を示す斜視図である。
【図１０】本願第２発明を示す斜視図である。
【図１１】本願第３発明を示す斜視図である。
【図１２】本願第４発明を示す斜視図である。
【発明を実施するための形態】
【００２０】
以下、本願発明の実施形態について、添付の図面を参照して具体的に説明する。図１は本願第１発明の第１実施形態に係るトイレ用アームレストを示す斜視図、図２はその平面図、図３は別の態様の平面図、図４は本実施形態の動作を示す斜視図、図５は本実施形態のトイレ用アームレスト装置が設置されたトイレ（便器）を示す斜視図である。図５に示すように、レストルーム内に設置されたトイレ１の便座２の左右両側に、アームレスト３の便座２をレストルームの床等の上に、１対の相互に平行に配置された支持杆４ａ、４ｂがその長手方向を床等に平行にして載置される。各支持杆４ａ、４ｂには、支持棒５ａ、５ｂが立設されており、この支持棒５ａ，５ｂは、固定部材１０によりトイレ１に固定されている。この支持棒５ａ、５ｂは中空棒状をなし、この支持棒５ａ、５ｂの内部に上下棒６ａ、６ｂが挿入されるようになっている。そして、この上下棒６ａ、６ｂの支持棒５ａ、５ｂへの挿入位置を調整することにより、上下棒６ａ、６ｂの位置を調整できる。また、この上下棒６ａ、６ｂの上端には、水平方向に若干湾曲して延びるアームレスト７ａ、７ｂが固定されている。
【００２１】
図１，図２及び図３に示すように、固定部材１０は、平面視でＵ字形をなすフレーム１１を有し、このＵ字の底の部分を前方に向け、Ｕ字の両側の部分は、支持棒５ａ、5ｂの相互の対向面に向けて配置されている。そして、このフレーム１１の前部には、適宜の角度で屈曲した２個の前部接触部１２が設けられており、この前部接触部１２には、陶器製のトイレ１を損傷しないように、ゴム板等によりフレーム１１の表面が被覆されている。また、フレーム１１の側部には取付部１３が設けられており、この取付部１３を１対の支持棒６ａ、６ｂに溶接等により固定することにより、フレーム１１が支持棒６ａ、６ｂに固定されている。これにより、支持棒５ａ、５ｂがフレーム１１によって、適長間隔で平行に配置されている。更に、フレーム１１の開放端部には、フレーム１１に螺合して、その回転によりフレーム１１からトイレ１に向けて進出待避可能の押圧棒１４が設けられている。この押圧棒１４の先端部にもゴム等が被覆されていて、押圧棒１４の先端部がトイレ１に接触したときに、トイレ１を損傷しないようになっている。このように構成された固定部材１０により、前部接触部１２をトイレ１の前方部分に接触させた状態で、押圧棒１４をトイレ１に向けて進出させることにより、その前端部をトイレ１に接触させ、この押圧棒１４がトイレ１を押圧することにより、フレーム１１がトイレ１に固定されるようになっている。押圧棒１４を待避させる（トイレ１から離隔させる）ことにより、フレーム１１をトイレ１から離脱させることができる。
【００２２】
アームレスト７ａ、７ｂは、若干湾曲しつつ、基本的には前後方向に延びており、その一方の端部側に偏倚した位置に、支持部８ａ、８ｂが設けられている。そして、この支持部８ａ、８ｂは上下棒６ａ，６ｂの上端に固定されている。これにより、アームレスト７ａ、７ｂは、垂直の上下棒６ａ、６ｂに、支持部８ａ、８ｂを介して水平姿勢になるように支持されている。
【００２３】
支持棒５（５ａ、５ｂ）と、上下棒６（６ａ、６ｂ）は、いずれも断面が中空の楕円形に近く、横長の部分が平坦で、その平坦部分の両端部が半円部分で、表裏の平坦部分を連絡するような形状をなしている。この上下棒６と支持棒５の横断面は、上下棒６が支持棒５内に挿入可能となるように、支持棒５の方が上下棒６より若干大きくなっている。そして、支持棒５の上部には、ナット２１がその軸方向を水平にし、支持棒５の表面に垂直にして、固定されており、このナット２１に螺棒２２が螺合し、ハンドル２２ａを握持して螺棒２２を正逆回転させることにより、螺棒２２が支持棒５内に進出し、又は支持棒５内から離隔することができる。そして、この支持棒５内に挿入される上下棒６は、表裏両側の平坦部分に、複数個の孔２３が上下棒６の長手方向に沿って、１列に点在するように形成されている。この孔２３の列は、図７に明示するように、上下棒６の幅広部分の中心線から一方の側に偏倚した位置に配置されている。そして、支持棒５のナット２１も同様に同一の偏倚度で前記一方の側に偏倚しており、螺棒２２は支持棒５内に進出すると、この支持棒５内に挿入された上下棒６に設けられたいずれかの孔２３を挿通して、図７（ｂ）に示すように、上下棒６の内面に当接する。この螺棒２２の螺込み量を調節することにより、螺棒２２は上下棒６の内面を押圧し、上下棒６の孔２３に対向する面を支持棒５の内面に向けて押圧する。これにより、上下棒６が支持棒５に固定される。
【００２４】
また、上下棒６の裏面側の平坦部には、他の複数個の孔２４が上下棒６の長手方向に平行に１列に点在して形成されている。これらの孔２３，２４は、図７（ｂ）に示すように、平面視で、上下棒６の中心線を中心として点対称の位置に設けられている。よって、上下棒６を裏返して、支持棒５に挿入すると、ナット２１の位置に孔２４が整合することになる。
【００２５】
次に、このように構成されたトイレ用アームレスト装置の動作について説明する。先ず図１及び図４に示すように、支持杆４ａ、４ｂ、支持棒５ａ、５ｂ、及びフレーム１１からなるアームレスト装置下半部を、トイレ１の周囲に配置し、フレーム１１の前部接触部１２をトイレ１に接触させ、押圧棒１４を押し込んで，その先端部でトイレ１を押圧する。これにより、前記アームレスト装置下半部をトイレ１に固定する。
【００２６】
その後、図４に示すように、アームレスト７ａ、７ｂに固定された上下棒６ａ、６ｂを、支持棒５ａ、５ｂに挿入する。このとき、トイレ１の右側に配置されるアームレスト７ａ及び上下棒６ａは、アームレスト７ａが正常な方向を向くように上下棒６ａを支持棒５ａに挿入する。アームレスト７ａの正常な方向とは、支持部８ａよりも長く延出する方が前方を向く方向である。このとき、アームレスト７ａは、手で握持したり、肘をのせて身体をあづけるという本来の機能のために十分に動作する。そして、トイレ１の左側に配置されるアームレスト７ｂ及び上下棒８ｂも、図４に示すように、アームレスト７ｂが正常な方向を向くように上下棒６ｂを支持棒５ｂに挿入すると、図３に示すように、アームレスト７ａ、７ｂはいずれも正常な方向を向き、アームレスト７ａ、７ｂは、いずれもトイレ１よりも前方に長く延出する。このため、この態様では、使用者が便座に着用した後は、いずれのアームレスト７ａ、７ｂも握持したり、肘を載せて身体をあづけたりするために機能しているので、好ましい態様であるといえる。しかし、使用者の移乗動作の際には、例えば、トイレ１の左側の方からトイレ１の便座２に進入する場合には、左側のアームレスト７ｂが移乗の邪魔になる。
【００２７】
そこで、レストルーム内がこのような配置になっていて、使用者がトイレ１の左側から便座２に向けて進入するような配置となっている場合には、図１に示すように、アームレスト７ｂをその支持部８ｂよりも長く延出する部分がトイレ１の後方に向くように、即ち、アームレスト７ｂの短い部分がトイレ１の前方に向くように、上下棒６ｂを支持棒５ｂに挿入する。このとき、上下棒６ｂは、図４の場合の裏返しとなるが、孔２３の点対称の位置に孔２４が形成されているので、支持棒５ｂのナット２１には、孔２４が対向する。このため、ハンドル２２ａを握持して、螺棒２２をナット２１に螺合させて螺棒２２をねじ込むと、この螺棒２２は孔２４を挿通して、上下棒６ｂの孔２４に対向する内面を押圧する。これにより、螺棒２２が上下棒６ｂを支持棒５ｂに向けて押圧するので、上下棒６ｂが支持棒５ｂに固定される。アームレスト７ａ、７ｂの高さは、螺棒２２が挿通する孔２３，２４を適切に選択することにより、調節することができる。
【００２８】
この態様では、図１に示すように、左側のアームレスト７ｂが後方を向いているので、前方については、アームレスト７ｂは、支持棒５ｂ及び上下棒６ｂよりも前方に延出する部分が短い。このため、使用者は容易に且つ円滑に便座２に移乗できる。着座後には、使用者は前方に長く延出する右側のアームレスト７ａを使用して、身体をあづけることができる。なお、図２に示すように、右側のアームレスト７ａのように、正常な方向（長く延出する部分が前方を向く方向）を向いた場合と、左側のアームレスト７ｂのように、逆方向（前方に延出する部分が短い場合）を向いた場合とで、トイレ１から前方に延出する長さは、Ｘだけ相違する。このＸの長さは、図１等に示すように、アームレスト７ａ、７ｂが上下棒６ａ、６ｂに対して偏倚して取り付けられている位置の偏倚の度合いにより異なるが、一例として、約１９０ｍｍとすることが可能である。従って、図１の態様では、トイレ１の左側に約１９０ｍｍのスペースを開けることができる。
【００２９】
このように、ベッド設置者は、レストルーム内のトイレ１の配置及び使用者の動線に応じて、アームレスト装置を、右側のアームレスト７ａ又は左側のアームレスト７ｂのいずれか一方を、その長い部分が後方を向くように上下棒６を支持棒５に挿入し、螺棒２２により上下棒６を支持棒５に固定すればよい。本実施形態では、上下棒６を、アームレスト７ａ、７ｂの上下棒６より長く延出する部分が前方を向くように支持棒７に挿入しても、上下棒６より前方に延出する部分が短いように支持棒７に挿入しても、孔２３と孔２４とは上下棒６の中心線に対して点対称の位置に形成されているので、いずれの場合でも螺棒２２を挿入して上下棒６を支持棒５に固定することができる。このため、本実施形態のアームレスト装置は、汎用性が極めて優れている。そして、本実施形態によれば、一方のアームレストを身体を支えるために機能させつつ、他方のアームレストが使用者の移乗の際に邪魔にならないようにすることができ、使用者の座位保持、立ち上がり、着座、それらの移行動作が容易である。
【００３０】
次に、本発明の第２実施形態について、図８（ａ）、（ｂ）を参照して説明する。支持棒７に上下棒６を挿入することは、図１等に示す第１実施形態と同様であるが、支持棒７の中央にナット２１が設けられており、このナット２１に螺棒２２を螺合するようになっている。そして、上下棒６には、凹部２９が形成されており、螺棒２２をねじ込むことにより、螺棒２２の先端を上下棒６の凹部２９に押しつけることにより、上下棒６を支持棒５に固定するようになっている。この凹部２９は、上下棒６の表裏両平坦部に形成されているので、アームレストを裏返して、その上下棒６を支持棒５に挿入しても、螺棒の螺合により上下棒６を支持棒５に固定することができる。よって、本第２実施形態も第１実施形態と同様の効果を奏する。
【００３１】
図９は本発明の第３実施形態を示す図である。本実施形態は、支持棒７の上端部にこの上端部を締め付けてその内径を小さくするためのフランジ３２が設けられている。このフランジ３２は、ボルト３１及びナット３３により締め込んで、そのフランジ３２間の間隔を短くし、支持棒７の上端部を締め付けることができる。これにより、上下棒６を支持棒５に挿入した後、ボルト３１及びナット３３を締め込むことにより、上下棒６を支持棒５に固定することができる。
【００３２】
図１０は、本願第２発明の第１実施形態を示す図である。レストルーム内の床に載置された支持杆（図１の支持杆４ａ、４ｂ参照）に支柱４０が立設されており、この支柱４０の上端部に、水平方向に延びる回転軸４２が支柱４０に対して回動可能に設けられている。そして、この回転軸４２にアームレスト４１が固定されており、アームレスト４１は回転軸４２を介して、支柱４０に対して水平軸を中心として回転することができる。そして、この支柱４０の上端部には、補助レスト４３が水平姿勢で固定されている。アームレスト４１は水平姿勢になったときに、補助レスト４３の上に重なるようになっている。また、アームレスト４１の下面には、その先端側に操作レバー４４が配置され、基端側にロック金具４５が配置されている。一方、補助レスト４３の先端面には、ロック金具受け４６が設けられている。そして、図１０（ｂ）、（ｃ）に示すように、ロック金具４５は下端がカギ状に湾曲しており、図１０（ｂ）に示すように、このロック金具４５の下部のカギ状部が補助レスト４３のロック金具受け４６に係合する位置と、図１０（ｃ）に示すように、ロック金具４５の下部のカギ状部がロック金具受け４６から離脱する位置とをとることができる。操作レバー４４とロック金具４５とはアームレスト４１の内部で連結されており、更に、この一体化された操作レバー４４及びロック金具４５は、アームレスト４１の長手方向に移動可能にアームレスト４１に支持されている。この操作レバー４４及びロック金具４５は、図１０（ｂ）に示すように、ロック金具４５がロック金具受け４６に係合する位置に向けて付勢されている。
【００３３】
従って、この実施形態においては、図１０（ｂ）に示すように、アームレスト４１を水平状態に倒した場合には、アームレスト４１が使用者の肘等を支持する機能を有する。このとき、ロック金具４５がロック金具受け４６に係合して、アームレスト４１を水平状態に保持する。そして、図１０（ｃ）に示すように、操作レバー４４をアームレスト４１の先端側に引くと、ロック金具４５がロック金具受け４６から離脱する。この状態で、アームレスト４１を後方に跳ね上げることができる。アームレスト４１を後方に跳ね上げた場合には、補助レスト４３が使用者の肘等を支持する機能を有する。しかし、補助レスト４３はアームレスト４１よりも短い。従って、アームレスト４１を跳ね上げた場合には、この補助レスト４３の前方に使用者の移乗のためのスペースが開くことになる。
【００３４】
図１１は第２発明の第２実施形態を示す図である。支柱５０の上端に水平に延びる水平部材５１が固定されている。そして，水平部材５１の先端に回転軸５２が設けられており、この回転軸５２により、回転部材５３が水平部材５１に対して回転可能に支持されている。但し、この回転部材５３は、水平状態から下方に回動することはない。よって、回転部材５３は水平部材５１と面一の水平状態（図１１（ａ））から、水平部材５１上に折りたたまれる状態（図１１（ｂ））までの態様をとることができる。そして、図１１（ａ）のように、回転部材５３が水平部材５１から離隔して前方に水平に倒れた場合には、水平部材５１と回転部材５３とが長いアームレストとして機能する。一方、図１１（ｂ）に示すように、回転部材５３が水平部材５１上に折りたたまれた場合には、回転部材５３が短いアームレストとして機能する。
【００３５】
次に、図１２を参照して、第２発明の第３実施形態について説明する。支柱６０の上端には、回転軸６２により、アームレスト６１が回転可能に支持されている。このアームレスト６１は、その先端が下方を向くように回動して、垂れ下がることができる。一方、支柱６０の上端部には、ロック金具受け６４が設置されており、アームレスト６１の下面には、このロック金具受け６４に係合可能のロック金具６３が配置されている。このロック金具６３は、アームレスト６１の先端側の下面に配置された操作レバー６５と連結されており、ロック金具６３及び操作レバー６５は、一体となって、アームレスト６１の長手方向に移動可能に、アームレスト６１に支持されている。これらのロック金具６３及び操作レバー６５は、アームレスト６１の先端側に向けて付勢されている。
【００３６】
この実施形態においては、図１２（ｂ）に示すように、操作レバー６５がアームレスト６１の前端側に位置している場合には、ロック金具６３はロック金具受け６４に係合して、アームレスト６１が下方に垂れ下がらないように、水平状態に支持している。この状態で、使用者は肘をアームレスト６１上において、身体をあづけることができる。一方、図１２（ｃ）に示すように、操作レバー６５を押込み、アームレスト６１の基端部側に移動させると、ロック金具６３がロック金具受け６３から離脱し、アームレスト６１が回転軸６２を中心として下方に回動可能となり、アームレスト６１を垂れ下がった状態にすることができる。この状態で、使用者が便座に移乗し易くなる。
【符号の説明】
【００３７】
１：トイレ
２：便座
４ａ、４ｂ：支持杆
５（５ａ、５ｂ）：支持棒
６（６ａ、６ｂ）：上下棒
７ａ、７ｂ：アームレスト
８ａ、８ｂ：支持部
１０：固定部材
１１：フレーム
１２：前方接触部
１３：取付部
１４：押圧棒
２１：ナット
２２：螺棒
２２ａ：ハンドル
２３、２４：孔
２９：凹部
４１，６１：アームレスト
４３：補助レスト
５１：水平部材
５３：回転部材
【図１】
2018094015.tif 000003
【図２】
2018094015.tif 000004
【図３】
2018094015.tif 000005
【図４】
2018094015.tif 000006
【図５】
2018094015.tif 000007
【図６】
2018094015.tif 000008
【図７】
2018094015.tif 000009
【図８】
2018094015.tif 000010
【図９】
2018094015.tif 000011
【図１０】
2018094015.tif 000012
【図１１】
2018094015.tif 000013
【図１２】
2018094015.tif 000014